(57)【要約】      （修正有）【課題】障子の開度規制とその開度規制の解除を行うことができながら、部材の破損などを抑えることができる開き窓の開度規制装置を提供する。【解決手段】建物の開口部に配置する窓枠２に対して障子３を水平方向に回動可能に取り付けており、窓枠２と障子３とに架け渡しているアーム８によって障子３の開度が規制される。障子３にはアーム８の一端部が揺動可能に連結しており、アーム８の他端部に設けた嵌合孔に対して嵌脱可能に嵌合する軸体１０を窓枠２に配置し、軸体１０が嵌合孔に嵌合している状態でアーム８の他端部が窓枠２に対して揺動可能に連結される。軸体１０は、駆動部によってアーム８の嵌合孔に嵌合する進出位置と嵌合孔から脱する後退位置との間で移動する。【選択図】図１
2014047574.tif 000002
【特許請求の範囲】
【請求項１】
建物の開口部に配置する窓枠（２）に対して障子（３）を水平方向に回動可能に取り付けている開き窓（１）において、窓枠（２）と障子（３）とにアーム（８）を架け渡していて、そのアーム（８）によって障子（３）の開度を規制する開度規制装置であって、
窓枠（２）と障子（３）とのうちのいずれか一方に、前記アーム（８）の一端部を揺動可能に連結しており、
前記の窓枠（２）と障子（３）とのうちの他方に、前記アーム（８）の他端部に設けている嵌合孔（３５）に対して嵌脱可能かつ揺動可能に嵌合する軸体（１０）を配置しており、
軸体（１０）を、アーム（８）の嵌合孔（３５）に嵌合する進出位置と前記嵌合孔（３５）から脱する後退位置との間で移動させる駆動手段（１５）を有していることを特徴とする開き窓の開度規制装置。
【請求項２】
前記駆動手段（１５）は、モータ（１６）と、そのモータ（１６）によって回転駆動されるカム（２３）と、前記軸体（１０）を前記進出位置側へ付勢する付勢手段（２４）とを有しており、
カム（２３）は、そのカム面の一部を中心軸方向へ窪ませて凹面（３６）を形成しており、
その凹面（３６）において、カム（２３）の回転方向の上流側の縁（３６ａ）が前記進出位置側の軸体（１０）に当接可能になっていて、その当接状態でカム（２３）が回転することで、そのカム（２３）の縁（３６ａ）によって軸体（１０）が付勢手段（２４）の付勢力に抗して前記後退位置側へ移動して、当該軸体（１０）がアーム（８）の嵌合孔（３５）から脱することを特徴とする請求項１記載の開き窓の開度規制装置。
【請求項３】
非常事態を感知する非常感知器（１８）からの信号に応じて前記モータ（１６）を制御する制御部（２０）を有しており、
制御部（２０）は、非常感知器（１８）からの信号を受信したときにモータ（１６）を作動させて軸体（１０）を前記後退位置に移動させることを特徴とする請求項２記載の開き窓の開度規制装置。
【請求項４】
リモコン（１９）からの信号に応じて前記モータ（１６）を制御する制御部（２０）を有しており、
制御部（２０）は、リモコン（１９）からの信号を受信したときにモータ（１６）を作動させて軸体（１０）を前記後退位置に移動させることを特徴とする請求項２または３記載の開き窓の開度規制装置。
【請求項５】
前記軸体（１０）の進出方向の先端面（１０ｃ）が傾斜していて、その傾斜状の先端面（１０ｃ）に、前記軸体（１０）が脱したアーム（８）の他端部を当接可能になっており、
そのアーム（８）の他端部によって前記軸体（１０）の傾斜状の先端面（１０ｃ）を押すことで、軸体（１０）が付勢手段（２４）の付勢力に抗して前記後退位置側へ移動することを特徴とする請求項１ないし４のいずれかに記載の開き窓の開度規制装置。
【請求項６】
軸体（１０）を手動で前記後退位置側へ移動させるための手段を有していることを特徴とする請求項１ないし５のいずれかに記載の開き窓の開度規制装置。
【発明の詳細な説明】
【技術分野】
【０００１】
本発明は、マンション、一般住宅またはビルディングなどの建物の開口部に配置している開き窓の開度規制装置に関するものである。
【背景技術】
【０００２】
特許文献１には、窓戸（障子）に固定したフック部材の凹部内に、窓戸の枠材に取り付けた本体部の係止部材が入り込むことによって、人の出入りが不可能な開度までしか窓戸を開閉できないようにする一方で（開度規制）、非常事態の際などに前記係止部材を前記フック部材の凹部から外すことによって、人が脱出可能な開度まで窓戸を開くことができるようにする（開度規制の解除）開き窓の開度規制装置が開示されている。
【先行技術文献】
【特許文献】
【０００３】
【特許文献１】特開２００３−７４２４７号公報
【発明の概要】
【発明が解決しようとする課題】
【０００４】
特許文献１に記載の開度規制装置では、例えば、窓戸のフック部材の凹部内に枠材の本体部の係止部材が入り込んでいる状態で風圧などによって窓戸が急激に開いた場合には、フック部材の先端部が係止部材に過度の力で衝突して、フック部材の先端部や係止部材などの部材の破損を招く虞があるといった問題がある。
【０００５】
本発明は、かかる不都合を解決することを目的とするものであり、障子の開度規制とその開度規制の解除とを行うことができながら、部材の破損などを抑えることができる開き窓の開度規制装置を提供することにある。
【課題を解決するための手段】
【０００６】
本発明は、前記不都合を解決するものである。すなわち本発明は、建物の開口部に配置する窓枠２に対して障子３を水平方向に回動可能に取り付けている開き窓１において、窓枠２と障子３とにアーム８を架け渡していて、そのアーム８によって障子３の開度を規制する開度規制装置であって、窓枠２と障子３とのうちのいずれか一方に、アーム８の一端部を揺動可能に連結しており、前記の窓枠２と障子３とのうちの他方に、アーム８の他端部に設けている嵌合孔３５に対して嵌脱可能かつ揺動可能に嵌合する軸体１０を配置しており、軸体１０を、アーム８の嵌合孔３５に嵌合する進出位置と嵌合孔３５から脱する後退位置との間で移動させる駆動手段１５を有していることを特徴とする。
【０００７】
ここでの開き窓には、両開き窓や片開き窓や両開き戸や片開き戸などが含まれる。軸体１０は、窓枠２または障子３に取り付けた本体７などに対して移動可能に支持されている場合などが該当する。駆動手段１５には、ソレノイドやアクチュエータなどからなる機構である場合などが含まれる。軸体１０とアーム８の嵌合孔３５の縁との間の遊び（隙間）は、アーム８が容易に揺動できるのであれば大きくてもよいが、過度にがたつかない程度の大きさの遊びであることが好ましい。
【０００８】
詳しくは、駆動手段１５は、モータ１６と、そのモータ１６によって回転駆動されるカム２３と、軸体１０を進出位置側へ付勢する付勢手段２４とを有しており、カム２３は、そのカム面の一部を中心軸方向へ窪ませて凹面３６を形成しており、その凹面３６において、カム２３の回転方向の上流側の縁３６ａが進出位置側の軸体１０に当接可能になっていて、その当接状態でカム２３が回転することで、そのカム２３の縁３６ａによって軸体１０が付勢手段２４の付勢力に抗して後退位置側へ移動して、アーム８の嵌合孔３５から脱するようになっている。ここでは、カム２３が軸体１０に直接当接する場合と、カム２３が軸体１０に設けたピンなどに当接することで間接的に軸体１０に当接する場合とが含まれる。付勢手段２４には、コイルバネや合成ゴムなどが該当する。
【０００９】
また、非常事態を感知する非常感知器１８からの信号に応じてモータ１６を制御する制御部２０を有しており、制御部２０は、非常感知器１８からの信号を受信したときにモータ１６を作動させて軸体１０を後退位置に移動させるものとすることができる。非常感知器１８は、火災やガス漏れや地震などの非常事態を感知するものであり、煙感知器や熱感知器やガス感知器や地震感知器などが該当する。また非常感知器１８は、建物内や建物外に一個だけ配置する場合と複数個配置する場合とが含まれる。ここでは、非常感知器１８と制御部２０とが無線通信方式や有線通信方式で通信し、制御部２０は、赤外線受光器やアンテナなどからなる受信部２１を介して非常感知器１８からの信号を受信する場合が含まれる。
【００１０】
また、リモコン１９からの信号に応じてモータ１６を制御する制御部２０を有しており、制御部２０は、リモコン１９からの信号を受信したときにモータ１６を作動させて軸体１０を後退位置に移動させるものとすることができる。ここでは、リモコン１９と制御部２０とが無線通信方式や有線通信方式で通信する場合が該当する。リモコン１９と制御部２０とが有線通信方式で通信する場合には、リモコン１９を建物の内壁などに取り付けてもよい。リモコン１９の操作によって、軸体１０を進出位置に移動させることができる場合も含まれる。
【００１１】
また、軸体１０の進出方向の先端面１０ｃが傾斜していて、その傾斜状の先端面１０ｃに、軸体１０が脱したアーム８の他端部を当接可能になっており、そのアーム８の他端部によって軸体１０の傾斜状の先端面１０ｃを押すことで、軸体１０が付勢手段２４の付勢力に抗して後退位置側へ移動するものとすることができる。ここでは、障子３が全閉状態でも開いている状態でもアーム８の他端部が当接できるように、軸体１０の傾斜状の先端面１０ｃの向き（姿勢）や形状などを設定しており、その先端面１０ｃが湾曲している場合なども含まれる。
【００１２】
さらに、軸体１０を手動で後退位置側へ移動させるための手段を有しているものとすることができる。例えば、軸体１０が窓枠２または障子３に取り付けた本体７内に配置されている場合には、その本体７に設けた孔が前記移動させるための手段に該当する。その場合には、その孔からピンなどを差し込んで軸体１０を手動で後退位置側へ移動させることになる。また、例えば軸体１０に前記移動させるための手段としての突起などを設け、その突起などを指などで掴んで軸体１０を後退位置側へ移動させる場合も含まれる。
【発明の効果】
【００１３】
本発明の開き窓の開度規制装置では、通常の使用のときには、軸体１０は進出位置にあってアーム８の他端部の嵌合孔３５に嵌合している。これによってアーム８が窓枠２と障子３とに架け渡された状態になる。その状態では、障子３は所定の開放角度（例えば１０°程度）までしか開くことができないため（開度規制）、障子３を開いて換気を行うことは可能であるが、不審者などが開き窓１から侵入することはできないことになる。
【００１４】
火災などが発生した場合に駆動手段１５によって軸体１０を後退位置へ移動させることにより、軸体１０がアーム８の嵌合孔３５から脱し、アーム８による障子３の開度規制が解除される。これによって、障子３を、例えば全開にして開き窓１から室外へ脱出することができる。
【００１５】
前述のように通常の使用のときには、軸体１０がアーム８の嵌合孔３５に嵌合しているので、軸体１０とアーム８とが確りと連結されることになる。従って、例えば風圧によって障子３が急激に開いてアーム８が引っ張られても、軸体１０とアーム８との連結が外れたり、軸体１０やアーム８などが前記急激に開いた際の衝撃で破損したりすることなどが抑えられる。
【００１６】
駆動手段１５のモータ１６によってカム２３を回転させ、そのカム２３によって軸体１０を付勢手段２４の付勢力に抗して後退位置側へ移動させて、軸体１０をアーム８の嵌合孔３５から脱するようにすると、例えば、駆動手段１５を、モータよりも大きい電磁ソレノイドなどを用いて構成する場合よりもコンパクト化することができる。
【００１７】
非常感知器１８からの信号を受信したときに軸体１０を後退位置に移動させると、火災などの非常事態の際には軸体１０がアーム８の嵌合孔３５から自動的に脱して、アーム８による障子３の開度規制が解除される。これにより、非常事態の際に障子３を直ちに全開して、開き窓１から室外へ脱出することができる。
【００１８】
リモコン１９からの信号を受信したときに軸体１０を後退位置に移動させると、開き窓１から離れた状態で障子３の開度規制の解除を行えるので、その分だけ本発明の開度規制装置の使い勝手が向上する。
【００１９】
軸体１０の進出方向が傾斜している当該軸体１０の先端面１０ｃに、軸体１０が脱したアーム８の他端部を当接させて前記傾斜状の先端面１０ｃを押すと、軸体１０が付勢手段２４の付勢力に抗して後退位置側へ移動するので、リモコン１９などを操作して駆動手段１５を作動させて軸体１０を移動させなくても、軸体１０にアーム８の嵌合孔３５を嵌合させることができる。その分だけ軸体１０にアーム８の嵌合孔３５を嵌合させる際の手間を低減できる。
【００２０】
軸体１０を手動で後退位置側へ移動させるための手段を有していると、故障などによって駆動手段１５で軸体１０を後退位置に移動させることができない場合であっても、軸体１０を手動で後退位置側へ移動させて軸体１０をアーム８の嵌合孔３５から脱して、障子３を全開まで開くことができ、これによっても本発明の開度規制装置の使い勝手が向上する。
【図面の簡単な説明】
【００２１】
【図１】本発明にかかる開度規制装置を設けた開き窓の横断面図である。
【図２】図１のＡ―Ａ線矢視断面図である。
【図３】図２のＢ―Ｂ線矢視断面図である。
【図４】図１のＣ―Ｃ線矢視断面図である。
【図５】開度規制装置のカムの作用を説明するための図４相当図である。
【図６】開度規制装置のカムの作用を説明するための図２相当図である。
【図７】アームを軸体に嵌合させる際の動作を説明するための図である。
【図８】アームを軸体に嵌合させる際の動作を説明するための図である。
【図９】開度規制装置の軸体を図８のＤ方向から見た図である。
【図１０】開度規制装置のブロック構成図である。
【発明を実施するための形態】
【００２２】
本発明に係る開き窓の開度規制装置の一実施例を図１ないし図１０に基づいて説明する。本発明の開度規制装置は、例えば、マンション、一般住宅またはビルディングなどの建物に形成する開き窓１に取り付けている。その開き窓１は、図１および図４に示すように、矩形状の窓枠２内に矩形状の障子３を取り付けている。前記障子３は、窓枠２の左右の竪枠２ａ・２ａのうちの左側の竪枠２ａに設けた上下方向の軸としてのヒンジ６を中心に、水平方向（室の内外方向）へ揺動（開閉）可能になっている。また障子３は、その框４内にガラス５・５を取り付けている。
【００２３】
窓枠２と障子３とに長板状のアーム８を架け渡しており、そのアーム８によって障子３の開度が規制されるようになっている。つまり、アーム８の一端部を、障子３の框４の下框４ａに取り付けている連結部材９に揺動可能に連結しており、アーム８の他端部を、前記窓枠２の下枠２ｂの室内側（図４では右側）に取り付けている開度規制装置の本体７に揺動可能に連結している。詳しくは、連結部材９には、図１に示すように、左右方向に延びる長孔１１を形成しており、その長孔１１に、前記アーム８の一端部に設けた揺動軸１２が移動可能に挿通している。アーム８の他端部には嵌合孔３５を設けていて、その嵌合孔３５に対して、前記本体７内に配置している軸体１０（図２）が嵌脱可能かつ揺動可能に嵌合している。
【００２４】
そして、前記本体７の軸体１０が前記アーム８の他端部の嵌合孔３５に嵌合している状態では、障子３は、前記全閉位置（図１の実線図の位置）から図１の反時計方向に所定の開放角度（例えば１０°程度）の位置（図１の仮想線図の位置）までしか揺動できないようになっている。その開放角度では、換気を行うことはできるが、人の出入りは不可能である。一方、前記本体７の軸体１０が前記アーム８の他端部の嵌合孔３５から脱して（外れて）いる状態では、障子３は全閉位置から図１の反時計方向へ、例えば９０°以上に開くことができる。その状態では、人が開き窓１から室外へ脱出することができる。
【００２５】
前記本体７の下面には、図４に示すように、固定部１３を設けており、その固定部１３をビスなどで下枠２ｂに取り付けている。本体７内には、図２および図６に示すように、前記軸体１０と、その軸体１０をアーム８の嵌合孔３５に嵌合する進出位置（図２の位置）と嵌合孔３５から脱する（外れる）後退位置（図６の位置）との間で移動させる駆動部（駆動手段）１５と、その駆動部１５の直流モータ１６などに電源供給する電源部１７と、煙感知器などの非常感知器１８（図１０）やリモコン１９（図１０）などから送信されてくる駆動指示信号を受信した際に駆動部１５の直流モータ１６を作動させるなどの制御を行う制御部２０（図１０）と、前記軸体１０を上下方向に移動可能に支持する支持部材２２などを有している。
【００２６】
駆動部１５は、出力軸を横向きにして配置している前記直流モータ１６と、その直流モータ１６の出力軸に減速装置を介して連結していて直流モータ１６によって回転駆動されるカム２３と、軸体１０を前記進出位置側（図２では上側）へ付勢するコイルバネ（付勢手段）２４とを有している。支持部材２２には、軸体１０とコイルバネ２４とを嵌め込んでいる縦長の支持孔２６と、アーム８の他端部を収容する収容部２７（図３参照）と、カム２３およびリミットスイッチ２８・２９を配置している凹部３０とを形成している。収容部２７は、図３に示すように、室外および右側の側面が開口しており、その開口から収容部２７内へアーム８の他端部が挿入可能になっている。
【００２７】
支持部材２２の凹部３０の底面（下面）には、図６に示すように、断面Ｌ字状の固定部材３１を取り付けており、その固定部材３１に直流モータ１６を固定している。凹部３０は、その左側が開口している。軸体１０の側面（図６では左側）には、カム２３側へ延びる当接ピン３２を設けており、凹部３０の奥側の側面には、前記当接ピン３２を凹部３０内に突出させるため通孔３３を形成している（図４参照）。その通孔３３は上下方向に延びている。
【００２８】
支持部材２２の支持孔２６は、その上部２６ａの径を下部２６ｂよりも小さくしているとともに、上部２６ａの上端側を収容部２７に連通している。また、軸体１０の上部１０ａの径を下部１０ｂよりも小さくしている。それにより、コイルバネ２４の付勢力によって支持孔２６内に嵌め込んだ軸体１０の上部１０ａが収容部２７内に突出した際に、その軸体１０の下部１０ｂの上端が支持孔２６の下部２６ｂの上端面に受け止められて（図２の状態）、軸体１０の上方への移動が規制される。支持孔２６の上部２６ａは収容部２７の上側まで延びており、前記進出位置では、軸体１０の上部１０ａが収容部２７の上側まで突出している。なお、軸体１０の下部１０ｂおよび支持孔２６の下部２６ｂは、横断面で矩形状になっていて、それによって軸体１０の回り止めを図っている。
【００２９】
アーム８の他端部を本体７の支持部材２２の収容部２７に差し込んだ状態で、アーム８の嵌合孔３５に軸体１０の上部１０ａを挿通（嵌合）させることにより、アーム８の他端部が本体７に連結される。その連結状態では、軸体１０の上部１０ａがアーム８の嵌合孔３５から抜けることがない。
【００３０】
カム２３は、図４および図５に示すように、カム面の一部を中心軸方向へ窪ませて凹面３６を形成しており、その凹面３６において、カム２３の回転方向（図４では反時計方向）の上流側の縁３６ａが軸体１０の当接ピン３２に当接可能になっている（図４の仮想線図参照）。その当接状態でカム２３がさらに回転することで、そのカム２３の縁３６ａによって当接ピン３２が下方に押されて、コイルバネ２４の付勢力に抗して軸体１０が押し下げられる（図５参照）。その状態では、軸体１０の上部１０ａがアーム８の嵌合孔３５から脱しており（図６の状態）、アーム８の他端部を支持部材２２の収容部２７から取り出すことができる。
【００３１】
前記当接ピン３２は、カム２３のカム面の右半面側に当接している。そのカム２３のカム面の左半面側には、前記リミットスイッチ２８・２９の各操作レバー３８がそれぞれ当接している（図４および図５参照）。カム２３のカム面のうち、前記凹面３６を除く外周面２３ａは円弧状に形成している。
【００３２】
前記リモコン１９には、図１０に示すように、軸体１０の下方（後退位置）への移動を指示する駆動指示信号を送信するための押ボタン１９ａを有している。なお、リモコン１９は携帯可能になっている。前記非常感知器１８は、建物内や建物外に一個または複数個配置しており、火災などの非常事態を感知したときに駆動指示信号を送信する。
【００３３】
電源部１７は一次電池や二次電池などからなる。電源部１７が二次電池を有する場合には、制御部２０は、その二次電池を充電するための充電制御回路を有し、また必要に応じて過電流保護回路などを有している。非常感知器１８およびリモコン１９と、制御部２０とは、赤外線や電波や超音波などを用いる無線通信方式で通信しており、それに伴って本体２には、前記駆動指示信号を受信するための受信部２１（図１０）を有している。受信部２１としては、赤外線受光器やアンテナや超音波受信機などが該当する。
【００３４】
なお、非常感知器１８およびリモコン１９と制御部２０とは、リモコン１９と制御部２０とが赤外線で通信する一方で、非常感知器１８と制御部２０とが電波で通信してもよい。その場合、受信部２１としては、赤外線受光器およびアンテナを有することになる。また、非常感知器１８およびリモコン１９と制御部２０とがそれぞれ赤外線を用いて通信してもよく、非常感知器１８およびリモコン１９と制御部２０とがそれぞれ電波で通信してもよい。
【００３５】
本体７の第１リミットスイッチ２８は、カム２３の回転に伴って当該カム２３の凹面３６の縁３６ａによって軸体１０の当接ピン３２が下端位置まで押し下げられたのち、その当接ピン３２がカム２３の凹面３６から外れてカム２３の外周面２３ａに当接している状態（図５の状態）でオンする。なお、当接ピン３２は、カム２３の外周面２３ａに当接している間は下端位置に保持される。また第１リミットスイッチ２８は、カム２３の回転に伴って、当接ピン３２がカム２３のカム面から外れて、コイルバネ２４の付勢力によって上端位置に戻った際にオフになる（図４の状態）。第２リミットスイッチ２９は、その操作レバー３８の先端部がカム２３の外周面２３ａに当接している間だけオンする。第２リミットスイッチ２９がオンしているときには、第１リミットスイッチ２８はオフになっている。制御部２０は、これらのリミットスイッチ２８・２９のオンオフに基づいて駆動部１５の直流モータ１６の作動および作動停止を行っている。
【００３６】
制御部２０は、前記駆動指示信号を受信したときには直流モータ１６を作動させて軸体１０を下降させる。それによって軸体１０がアーム８の嵌合孔３５から脱して、アーム８の他端部を本体７から外すことができる。その軸体１０の下降から所定の時間（例えば３０秒）が経過すると、制御部２０は、直流モータ１６を作動させて軸体１０を上昇させるようになっている。
【００３７】
軸体１０の上部１０ａは、図７ないし図９に示すように、その進出方向（図７では上方向）の先端面（上端面）１０ｃが傾斜していて、その傾斜状の先端面１０ｃに、前記軸体１０が脱したアーム８の他端部が当接可能になっている。具体的には、軸体１０の上部１０ａの先端面１０ｃは、本体７の外方へ向かって下り傾斜しているとともに、室外側へ傾く斜め姿勢になっている。
【００３８】
例えば障子３を閉じて（全閉して）、前記本体７から外れたアーム８の他端部を本体７の収容部２７に差し込むと、そのアーム８の他端部が軸体１０の傾斜状の先端面１０ｃに当接する（図８および図９の状態）。さらにアーム８の他端部を本体７の収容部２７の奥まで押し込むと、そのアーム８の他端部によって軸体１０の傾斜状の先端面１０ｃがコイルバネ２４の付勢力に抗して後退位置側へ押し下げられる（図７の仮想線図の状態）。
【００３９】
そして、アーム８の他端部を、図３に示す本体７の収容部２７の最も奥まで押し込むと、アーム８の嵌合孔３５に軸体１０の傾斜状の先端面１０ｃが入り込み、軸体１０が上昇してアーム８の嵌合孔３５に嵌合する。軸体１０の先端面１０ｃを室外側へ傾く斜め姿勢にしてあることで、障子３を開いた状態（例えば図１の仮想線図の状態）で、前記本体７から外れたアーム８の他端部を本体７の収容部２７に差し込んでも、図８の仮想線図が示すようにアーム８の他端部が軸体１０の傾斜状の先端面１０ｃに当接することができる。それによって、前述と同様にアーム８の他端部で軸体１０を押し下げることができる。
【００４０】
このように、アーム８の他端部を本体７の収容部２７に押し込むだけで、軸体１０にアーム８の嵌合孔３５を嵌合させることができるので、その嵌合を行うときに軸体１０の下降および上昇の操作を行わなくても済み、その分だけ軸体１０にアーム８の嵌合孔３５を嵌合させる際の手間を低減できる。
【００４１】
また、支持部材２２の支持孔２６の上端面から本体７の上面に亘って、軸体１０を手動で後退位置側へ移動させるための手段としての案内孔４０を形成している。そして、アーム８の嵌合孔３５に軸体１０の上部１０ａが挿通してアーム８が本体７に連結されている状態において、案内孔４０の上端開口からピンなどを差し込み、そのピンなどで軸体１０をコイルバネ２４の付勢力に抗して押し下げることで、アーム８の嵌合孔３５から軸体１０を脱する（外す）ことができる。
【００４２】
これによって、電池切れや本体７の故障などによってリモコン１９を操作しても駆動部１５の直流モータ１６が作動せず、アーム８の嵌合孔３５に軸体１０が嵌合したままであっても、前記ピンなどを使ってアーム８の嵌合孔３５から軸体１０を脱する（外す）ことができる。
【００４３】
次に、本発明の開度規制装置の動作を説明する。本発明にかかる開き窓１は、通常の使用の状態では、アーム８の嵌合孔３５に本体７の軸体１０が嵌合していてアーム８の他端部が本体７に連結しており、それによって障子３を前記所定の開放角度までしか開くことができないようになっている。
【００４４】
その状態で、例えばリモコン１９の押ボタン１９ａが押されてリモコン１９から駆動指示信号が送信され、本体７の受信部２１が前記駆動指示信号を受信したときには、制御部２０は駆動部１５の直流モータ１６を作動させて軸体１０を下降させる。それによってアーム８の他端部の嵌合孔３５から本体７の軸体１０が脱して、障子３を全開（例えば９０°以上）まで開くことができるようになる。
【００４５】
また、火災などの発生によって非常感知器１８から駆動指示信号が送信され、その駆動指示信号を制御部２０が受信部２１を介して受信したときにも、直流モータ１６が駆動されて軸体１０が下降する。それによってアーム８の他端部の嵌合孔３５から本体７の軸体１０が脱し、例えば障子３を全開まで開いて開き窓１から室外へ脱出することができる。
【００４６】
前記軸体１０の下降から所定の時間が経過したときには軸体１０が上昇しており、その後に通常の使用の状態に戻す場合には、前記軸体１０が脱したアーム８の他端部を本体７の収容部２７に差し込んで軸体１０の傾斜状の先端面１０ｃを押す。それによって軸体１０が下降して、軸体１０をアーム８の嵌合孔３５に嵌合させることができる。
【００４７】
制御部２０は、所定時間（例えば数秒）ごとにしか作動しないようになっており、リモコン１９は、制御部２０の作動停止時間よりも長い時間、駆動指示信号を送信するようになっている。制御部２０は、前記作動時間内に駆動指示信号を受信したときに駆動部１５の直流モータ１６を作動する。このように、制御部２０を所定時間ごとにしか作動しないようにしたことで、開度規制装置の消費電力が抑えられる。
【００４８】
なお、電源として商用電源を用いてもよい。その場合、前記直流モータ１６に代えて交流モータを使用することになる。また、前記商用電源を用いる場合に、当該商用電源を整流して前記直流モータ１６などに供給してもよい。リモコン１９と制御部２０とは有線通信方式を用いて通信してもよく、同様に非常感知器１８と制御部２０とが有線通信方式を用いて通信してもよい。
【００４９】
非常感知器１８には、前記煙感知器の他に、熱感知器、ガス感知器および地震感知器などが該当する。また、開度規制装置を複数の開き窓１にそれぞれ設置した場合には、一個または複数個の非常感知器１８から送信された駆動指示信号によって各開度規制装置を一斉に作動させることができる。また、例えば一個または複数個の非常感知器１８を制御盤（図示せず）に有線または無線で接続し、その制御盤から各開度規制装置に駆動指示信号を有線または無線で送信するようにしてもよい。
【００５０】
このように、本発明の開度規制装置では、通常の使用のときには、本体７の軸体１０は進出位置にあってアーム８の嵌合孔３５に嵌合している。これによってアーム８が窓枠２と障子３とに架け渡された状態になる。その状態では、障子３は所定の開放角度（例えば１０°程度）までしか開くことができないため（開度規制）、障子３を開いて換気を行うことは可能であるが、不審者などが開き窓１から侵入することはできないことになる。
【００５１】
火災などが発生した場合に軸体１０を後退位置へ移動させることにより、本体７の軸体１０がアーム８の嵌合孔３５から脱し、アーム８による障子３の開度規制が解除される。これによって、障子３を全開にして開き窓１から室外へ脱出することができる。
【００５２】
そして、前述のように通常の使用のときには、本体７の軸体１０がアーム８の嵌合孔３５に嵌合しているので、本体７の軸体１０とアーム８とが確りと連結されることになって、例えば風圧によって障子３が急激に開いてアーム８が引っ張られても、軸体１０とアーム８との連結が外れたり、軸体１０やアーム８などが破損したりすることが抑えられる。
【００５３】
前記説明では、障子３の框４に連結部材９を取り付け、窓枠２に本体７を取り付けているが、窓枠２に連結部材９を取り付け、障子３の框４に本体７を取り付け、アーム８の一端部を窓枠２の連結部材９に連結するとともに、アーム８の他端部の嵌合孔３５を障子３の本体７の軸体１０に嵌合（連結）させてもよい。また、リモコン１９に、軸体１０の上方（進出位置）への移動を指示する信号を送信するための押ボタンを有し、その信号を制御部２０が受信したときに、軸体１０を進出位置に移動させるようにしてもよい。
【符号の説明】
【００５４】
１  開き窓
２  窓枠
３  障子
８  アーム
１０  軸体
１５  駆動部
１６  直流モータ
１６ｃ  先端面
１８  非常感知器
１９  リモコン
２０  制御部
２３  カム
２４  コイルバネ
３５  嵌合孔
３６  凹面
３６ａ  縁
【図１】
2014047574.tif 000003
【図２】
2014047574.tif 000004
【図３】
2014047574.tif 000005
【図４】
2014047574.tif 000006
【図５】
2014047574.tif 000007
【図６】
2014047574.tif 000008
【図７】
2014047574.tif 000009
【図８】
2014047574.tif 000010
【図９】
2014047574.tif 000011
【図１０】
2014047574.tif 000012